【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
オブジェクト選択方法であって：
目標オブジェクト選択に影響を与えるために用いられるサービス影響パラメータに基づいて、新しいオブジェクト関係重みを取得するために、複数のオブジェクトを備えるオブジェクト群の２つのオブジェクト間ごとの基本関係重みを調整するステップであって、２つのオブジェクト間の基本関係重みは、前記２つのオブジェクト間のインタラクションの強さを示すための測定パラメータである、ステップ（１０１）と；
前記オブジェクト群内の各々の新しいオブジェクト関係重みに基づいて、前記オブジェクト群内の各オブジェクトに対応する伝達度を特定するステップであって、各オブジェクトに対応する伝達度は、前記オブジェクト群内の他のオブジェクトに対する影響力の程度を示す、ステップ（１０２）と；
サービスにおける各オブジェクトのサービス活動パラメータに基づいて、各オブジェクトに対応する活動度を特定するステップであって、前記活動度は、前記サービスへの前記オブジェクトの参加の程度を示すために用いられる、ステップ（１０３）と；
前記活動度及び前記伝達度に基づいて、各オブジェクトに対応する影響度を特定するステップであって、前記影響度は、前記オブジェクトの他のオブジェクトへの影響力の程度を示すために用いられる、ステップ（１０４）と；
影響度が所定の閾値より大きいオブジェクトを目標オブジェクトとして選択するステップ（１０５）と；を備える、
オブジェクト選択方法。
【請求項２】
前記オブジェクト群は、複数のユーザを備え、
２人のユーザ間毎の前記基本関係重みを算出するステップであって、前記基本関係重みを算出するために用いられるパラメータは、チャット回数、「いいね」アイコンのタップ回数、ブログ転送回数、振込回数、及び振込額を備える、ステップを更に備える、
請求項１に記載のオブジェクト選択方法。
【請求項３】
目標オブジェクト選択に影響を与えるために用いられるサービス影響パラメータに基づいて、新しいオブジェクト関係重みを取得するために２つのオブジェクト間ごとの基本関係重みを調整するステップは：
前記２つのオブジェクト間の地理的位置関係に基づいて地理的位置係数を特定するステップであって、前記地理的位置係数は、前記サービス影響パラメータとして用いられる、ステップと；
前記調整された新しいオブジェクト関係重みを取得するために前記地理的位置係数を用いて前記基本関係重みを調整するステップ（２０４）と；を備える、
請求項１又は請求項２に記載のオブジェクト選択方法。
【請求項４】
前記２つのオブジェクト間の地理的位置関係に基づいて地理的位置係数を特定するステップは：
前記サービスにおける前記オブジェクトの住所情報に基づいて前記オブジェクトの活動地域を特定し、前記サービスに記録されている前記オブジェクトの出身地域を取得するステップ（２０２）と；
前記２つのオブジェクトが同じ活動地域及び出身地域を有するか否かに基づいて、異なる地理的位置係数を設定するステップ（２０３）と；を備える、
請求項３に記載のオブジェクト選択方法。
【請求項５】
２つのオブジェクトの活動地域が同じ場合は、前記地理的位置係数は最も高く設定され、２つのオブジェクトの出身地域と活動地域が全て異なる場合は、前記地理的位置係数は最も低く設定される、
請求項４に記載のオブジェクト選択方法。
【請求項６】
前記調整された新しいオブジェクト関係重みを取得するために前記地理的位置係数を用いて前記基本関係重みを調整するステップは：
前記基本関係重みと前記地理的位置係数とを乗じるステップを備える、
請求項３乃至請求項５のいずれか１項に記載のオブジェクト選択方法。
【請求項７】
サービスにおける各オブジェクトのサービス活動パラメータに基づいて、各オブジェクトに対応する活動度を特定するステップ（２０６）は：
所定期間内のユーザのオフライン消費回数、ユーザの消費日数及び業者数を取得するステップと；
取得した業者数に取得したユーザの消費日数を乗じ、さらに消費回数の対数を乗じたものを前記活動度と特定するステップと；を備える、
請求項２に記載のオブジェクト選択方法。
【請求項８】
前記活動度及び前記伝達度に基づいて、各オブジェクトに対応する影響度を特定するステップは：
前記影響度に対して算出された前記活動度の重みが、前記影響度に対して算出された前記伝達度の重みよりも低いと特定するステップを備える、
請求項１又は請求項２に記載のオブジェクト選択方法。
【請求項９】
前記活動度及び前記伝達度に基づいて、各オブジェクトに対応する影響度を特定するステップ（２０７）は：
特定された前記活動度及び特定された前記伝達度を正規化するステップと；
前記正規化された活動度と前記正規化された伝達度とを乗じたものを前記影響度として特定するステップと；を備える、
請求項８に記載のオブジェクト選択方法。
【請求項１０】
各オブジェクトに対応する前記伝達度は、重み付けＰａｇｅＲａｎｋアルゴリズムを用いて特定される、
請求項１乃至請求項９のいずれか１項に記載のオブジェクト選択方法。
【請求項１１】
前記基本関係重みは、２つのオブジェクトが頻繁にブログを転送したり、頻繁にチャットし合ったり、又は相互への振込操作を複数回実行したりする場合には高くなり、２つのオブジェクトがめったに互いに通信することがない場合には低くなる、
請求項１乃至請求項１０のいずれか１項に記載のオブジェクト選択方法。
【請求項１２】
オブジェクトに対する前記活動度は、所定期間内の当該オブジェクトの消費店舗数、消費日数、又は消費回数に基づいて算出された消費活動度を備える、
請求項１乃至請求項１１のいずれか１項に記載のオブジェクト選択方法。
【請求項１３】
請求項１乃至請求項１２のいずれか１項に記載の方法を実行するように構成された複数のモジュールを備える、
オブジェクト選択装置。
【手続補正２】
【補正対象書類名】明細書
【補正対象項目名】００７５
【補正方法】変更
【補正の内容】
【００７５】
上述の説明は、本願の好適な実施に過ぎず、本願を限定するものではない。本願の趣旨と原理から逸脱することなく施される如何なる修正、均等物による置換、又は改良も、本願の保護範囲内に入るものとする。
以下、本発明の実施の態様の例を列挙する。
［第１の局面］
オブジェクト選択方法であって：
目標オブジェクト選択に影響を与えるために用いられるサービス影響パラメータに基づいて、新しいオブジェクト関係重みを取得するために２つのオブジェクト間ごとの基本関係重みを調整するステップと；
オブジェクト群内の各々の新しいオブジェクト関係重みに基づいて、前記オブジェクト群内の各オブジェクトに対応する伝達度を特定するステップであって、前記オブジェクト群は複数のオブジェクトを備える、ステップと；
サービスにおける各オブジェクトのサービス活動パラメータに基づいて、各オブジェクトに対応する活動度を特定するステップであって、前記活動度は、前記サービスへの前記オブジェクトの参加の程度を示すために用いられる、ステップと；
前記活動度及び前記伝達度に基づいて、各オブジェクトに対応する影響度を特定するステップであって、前記影響度は、前記オブジェクトの他のオブジェクトへの影響力の程度を示すために用いられる、ステップと；
影響度が所定の閾値より大きいオブジェクトを目標オブジェクトとして選択するステップと；を備える、
オブジェクト選択方法。
［第２の局面］
目標オブジェクト選択に影響を与えるために用いられるサービス影響パラメータに基づいて、新しいオブジェクト関係重みを取得するために２つのオブジェクト間ごとの基本関係重みを調整する前記ステップは：
前記２つのオブジェクト間の地理的位置関係に基づいて地理的位置係数を特定するステップであって、前記地理的位置係数は、前記サービス影響パラメータとして用いられる、ステップと；
前記調整された新しいオブジェクト関係重みを取得するために前記地理的位置係数を用いて前記基本関係重みを調整するステップと；を備える、
第１の局面に記載のオブジェクト選択方法。
［第３の局面］
前記２つのオブジェクト間の地理的位置関係に基づいて地理的位置係数を特定する前記ステップは：
前記サービスにおける前記オブジェクトの住所情報に基づいて前記オブジェクトの活動地域を特定し、前記サービスに記録されている前記オブジェクトの出身地域を取得するステップと；
前記２つのオブジェクトが同じ活動地域及び出身地域を有するか否かに基づいて、異なる地理的位置係数を設定するステップと；を備える、
第２の局面に記載のオブジェクト選択方法。
［第４の局面］
前記活動度及び前記伝達度に基づいて、各オブジェクトに対応する影響度を特定する前記ステップは：
前記影響度に対して算出された前記活動度の重みが、前記影響度に対して算出された前記伝達度の重みよりも低いと特定するステップを備える、
第１の局面に記載のオブジェクト選択方法。
［第５の局面］
各オブジェクトに対応する前記伝達度は、重み付けＰａｇｅＲａｎｋアルゴリズムを用いて特定される、
第１乃至４の局面のいずれかに記載のオブジェクト選択方法。
［第６の局面］
オブジェクト選択装置であって：
目標オブジェクト選択に影響を与えるために用いられるサービス影響パラメータに基づいて、新しいオブジェクト関係重みを取得するために２つのオブジェクト間ごとの基本関係重みを調整するように構成された重み調整モジュールと；
複数のオブジェクトを含むオブジェクト群内の各々の新しいオブジェクト関係重みに基づいて、前記オブジェクト群内の各オブジェクトに対応する伝達度を特定するように構成された伝達度特定モジュールと；
サービスにおける各オブジェクトのサービス活動パラメータに基づいて、各オブジェクトに対応する、前記サービスへの前記オブジェクトの参加の程度を示すための活動度を特定するように構成された活動度特定モジュールと；
前記活動度及び前記伝達度に基づいて、各オブジェクトに対応する、前記オブジェクトの他のオブジェクトへの影響力の程度を示すための影響度を特定するように構成された影響度特定モジュールと；
影響度が所定の閾値より大きいオブジェクトを目標オブジェクトとして選択するように構成された選択処理モジュールと；を備える、
オブジェクト選択装置。
［第７の局面］
前記重み調整モジュールは、前記２つのオブジェクト間の地理的位置関係に基づいて、前記サービス影響パラメータとして用いられる地理的位置係数を特定し、前記調整された新しいオブジェクト関係重みを取得するために前記地理的位置係数を用いて前記基本関係重みを調整するように構成される、
第６の局面に記載のオブジェクト選択装置。
［第８の局面］
前記重み調整モジュールは：
前記サービスにおける前記オブジェクトの住所情報に基づいて前記オブジェクトの活動地域を特定し、前記サービスに記録されている前記オブジェクトの出身地域を取得するように構成された住所取得ユニットと；
前記２つのオブジェクトが同じ活動地域及び出身地域を有するか否かに基づいて、異なる地理的位置係数を設定するように構成されたパラメータ設定ユニットと；を備える、
第７の局面に記載のオブジェクト選択装置。
［第９の局面］
前記影響度特定モジュールは、前記影響度に対して算出された前記活動度の重みが、前記影響度に対して算出された前記伝達度の重みよりも低いと特定するように構成される、
第６の局面に記載のオブジェクト選択装置。
［第１０の局面］
各オブジェクトに対応する前記伝達度は、重み付けＰａｇｅＲａｎｋアルゴリズムを用いて特定される、
第６乃至９の局面のいずれかに記載のオブジェクト選択装置。